(57)【特許請求の範囲】
【請求項１】
温水供給配管の配置情報及び管種情報を入力する管情報入力手段を設け、温水供給配管に接続される温水供給機器及び温水流通機器の機器情報及び配置情報を入力する機器情報入力手段を設けた温水供給配管設計支援システムであって、
前記温水供給機器の最大温水供給量テーブル、
前記温水流通機器とその温水流通機器の使用形態に基づく定格流量との関係を示す定格流量テーブル、及び、
温水供給配管に用いられる管種情報及びその管種毎に決まる単位長さ当たりの圧損と流量との関係を記録した圧損パラメータ、
を記憶する記憶手段を設け、
前記機器情報より前記温水流通機器の前記定格流量テーブルを参照して、前記圧損パラメータ及び前記温水供給機器、温水暖房機器、温水循環配管の配置情報から、前記温水供給機器から各配管位置までの累積圧損を求め、
前記温水供給機器が前記各温水流通機器に対する定格流量で温水供給可能な定格許容圧損を前記最大温水供給量テーブルから求め、
前記定格許容圧損が前記累積圧損を上回っているか否かを比較表示させる圧損比較機構を設けた温水供給配管設計支援システム。
【請求項２】
温水供給配管の配置情報及び管種情報を入力する管情報入力手段を設け、温水供給配管に接続される温水供給機器及び温水流通機器の機器情報及び配置情報を入力する機器情報入力手段を設けた温水供給配管設計支援システムであって、
前記温水供給機器の最大温水供給量テーブル、
前記温水流通機器とその温水流通機器の使用形態に基づく定格流量との関係を示す定格流量テーブル、及び、
温水供給配管に用いられる管種情報及びその管種毎に決まる単位長さ当たりの圧損と流量との関係を記録した圧損パラメータ、を記憶する記憶手段を設け、
前記機器情報より前記温水供給機器の前記最大温水供給量テーブルを参照し、前記温水供給配管の前記温水供給機器及び温水流通機器の配置情報に基く各温水流通機器配設位置における最大温水流量を前記圧損パラメータに基づいて求め、
前記最大温水流量が、前記温水流通機器の定格流量を上回っているか否かを比較表示させる流量比較機構を設けた温水供給配管設計支援システム。
【発明の詳細な説明】
【０００１】
【発明の属する技術分野】
本発明は、温水供給配管の配置情報及び管径情報を入力する管情報入力手段を設け、温水供給配管に接続される温水供給機器及び温水流通機器の機器情報及び配置情報を入力する機器情報入力手段を設けた温水供給配管設計支援システムに関する。
【０００２】
【従来の技術】
従来、この種の温水供給配管設計支援システムとしては、温水供給配管の設計者は、温水供給機器の温水供給能力に応じて経験的に温水供給配管の管径を設定して、設計図面として温水供給配管の配置情報及び管径情報を入力するとともに、その温水供給配管に温水を供給する際に定格流量の温水を流したとしても前記温水供給機器の温水供給能力を上回らないかを、温水供給機器の最大温水供給量テーブル及び温水流通機器とその温水流通機器の使用形態に基づく定格流量との関係を示す定格流量テーブル、及び温水供給配管に用いられる管に供給される温水流量と圧損との関係を示す圧損パラメータから、前記温水配管の前記温水供給機器から温水流通機器の配設位置までの累積圧損を計算して求めるとともに、前記温水供給機器が各温水流通機器に対する定格流量で温水供給可能な定格許容圧損を前記最大温水供給量テーブルから求め、その設計で前記温水流通機器の定格流量での使用時における定格許容圧損を満足するか否かを確認するという手順で温水供給配管を設計していた。
【０００３】
【発明が解決しようとする課題】
しかし、このような手順で温水供給配管を設計する場合には、前記最大許容圧損を満足するか否かの確認計算は非常に煩雑となる。具体的には、たとえば温水供給機器の機外揚程は温水供給流量や、給湯温度に対して単純な関係式であらわされるものではないために、実験的に得られたこれらの関係をあらわした流量−機外揚程グラフ、及び、配管の圧損と流量との関係をあらわす圧損パラメータとしての流量−圧損グラフをあらかじめ用意しておき、これらのグラフを照合して、最大許容圧損を求めるとともに、温水供給配管に各温水流通機器における定格流量の温水を流通させたときの通水抵抗に基づく累積圧損とを別途求め、その最大許容圧損と累積圧損とを比較するという工程が必要になる。すると、設計者は設計図面及びそこに入力されている温水配管の配置情報、温水配管に用いられている管の圧損パラメータ、や、流量−機外揚程グラフ等を手元に用意しながら、設計入力作業をする必要がある。また、上述の圧損−流量グラフは、通常管の種類毎に異なる挙動を示すものとなっているため、煩雑な作業でしかも熟練を要するものとなっていた。
【０００４】
たとえば、各温水流通機器や、管は図８に示すように温水流量に対して鎖線のような圧力損失を示す。これらの温水流通機器や、管に流通させられる合計流量と合計圧損との関係は、右上がりの実線に示されるようになる。これに対して温水供給機器の機外揚程は、温水流量に対して右下がりの実線のようになり、機外揚程が合計圧損と一致するポイントまでの温水流量を供給することが出来ることになる。また、この温水供給量Ｑ０で温水を供給した場合、機外揚程は合計圧損ΔＰ０に一致し、各温水流通機器に供給される温水量はＱ１，Ｑ２のようになるから、この温水量が各温水流通機器の定格温水流量を満足していなければならないことになる。尚、図６のグラフは模式的なもので、各温水流通機器毎に、グラフの傾向は異なり、一概に近似計算できるものではない上に、このような計算は、温水流通機器がすべて温水供給機器に直接接続されているような場合の計算であって、温水流通機器が配管の各所で分岐接続されているような場合には、その分岐部ごとに類似の計算を行うことが必要になり、温水流通機器の接続数が増すに従って、急激に困難な計算となってしまうのである。
【０００５】
このような状況下で、たとえば、顧客の要望により、温水供給配管の末端の温水流通機器を、温水流通量の少なくてすむ小型のものから、温水流通量の多いものに変更する等の設計変更が求められた場合には、その温水供給機器から温水の供給を受けるべき温水流通機器までの管路にかかる圧損は変化し、前記温水供給配管に用いられる管の管径を再計算する必要が生じる場合がある。
このような設計変更は、建物の設計段階において顧客の予算の都合、入手可能な建築資材の都合等により適宜行われるものであり、このような設計変更には、建築指示書の修正、経費、予算見積もりの再提示等の作業を伴うことになる。
【０００６】
しかし、このような設計変更は、試行錯誤で最適条件が見つかるまで際限なく行われる傾向にあるから、その都度再計算を行うのは設計者にとって大きな負担となり、多大な時間と労力を消費することになる。すると、建築指示書の修正、経費、予算見積もりの再提示を迅速に行うことが出来ず、顧客の要望に適切に対応しにくいだけでなく、建物の施工そのものに遅れを生じさせる原因にもなる。
【０００７】
従って、本発明の目的は、上記欠点に鑑み、より簡単に温水供給配管の設計を点検できる温水供給配管設計支援システムを提供することにある。
【０００８】
尚、定格流量での温水供給が安定するとしても、先の流量−機外揚程グラフや、圧損−流量グラフの関係から、複数の温水流通機器が同時に使用された場合に、その温水流通機器のうちの一つが定格流量以上で使用された場合に、他の温水流通機器に対する温水流通量が十分確保されるか否かは上述の計算だけでは保証されない場合があるので、より確実に温水供給配管の点検ができる温水供給配管設計支援システムが望まれているという実状もある。
【０００９】
【課題を解決するための手段】
この目的を達成するための本発明の温水供給配管設計支援システムの特徴構成は、請求項１記載のように、
温水供給配管の配置情報及び管種情報を入力する管情報入力手段を設け、温水供給配管に接続される温水供給機器及び温水流通機器の機器情報及び配置情報を入力する機器情報入力手段を設けた温水供給配管設計支援システムであって、
前記温水供給機器の最大温水供給量テーブル、
前記温水流通機器とその温水流通機器の使用形態に基づく定格流量との関係を示す定格流量テーブル、及び、
温水供給配管に用いられる管種情報及びその管種毎に決まる単位長さ当たりの圧損と流量との関係を記録した圧損パラメータ、
を記憶する記憶手段を設け、
前記機器情報より前記温水流通機器の前記定格流量テーブルを参照して、前記圧損パラメータ及び前記温水供給機器、温水暖房機器、温水循環配管の配置情報から、前記温水供給機器から各配管位置までの累積圧損を求め、
前記温水供給機器が前記各温水流通機器に対する定格流量で温水供給可能な定格許容圧損を前記最大温水供給量テーブルから求め、
前記定格許容圧損が前記累積圧損を上回っているか否かを比較表示させる圧損比較機構を設けたことにある。
また、請求項２記載のように、
温水供給配管の配置情報及び管種情報を入力する管情報入力手段を設け、温水供給配管に接続される温水供給機器及び温水流通機器の機器情報及び配置情報を入力する機器情報入力手段を設けた温水供給配管設計支援システムであって、
前記温水供給機器の最大温水供給量テーブル、
前記温水流通機器とその温水流通機器の使用形態に基づく定格流量との関係を示す定格流量テーブル、及び、
温水供給配管に用いられる管種情報及びその管種毎に決まる単位長さ当たりの圧損と流量との関係を記録した圧損パラメータ、
を記憶する記憶手段を設け、
前記機器情報より前記温水供給機器の前記最大温水供給量テーブルを参照し、前記温水供給配管の前記温水供給機器及び温水流通機器の配置情報に基く各温水流通機器配設位置における最大温水流量を前記圧損パラメータに基づいて求め、
前記最大温水流量が、前記温水流通機器の定格流量を上回っているか否かを比較表示させる流量比較機構を設けてあってもよい。
【００１０】
〔作用効果〕
つまり、温水供給配管の配置情報及び管種情報を入力する管情報入力手段を設け、温水供給配管に接続される温水供給機器及び温水流通機器の機器情報及び配置情報を入力する機器情報入力手段を設けてあれば、建物等に配置される温水供給機器や温水流通機器と、その機器に対する温水供給配管の関係を入力し、設計することができる。この際、前記温水供給配管として、どのような管径、管種のものを用いるかについても決定することができる。
【００１１】
温水供給機器の最大温水供給量テーブル、及び、温水流通機器とその温水流通機器の使用形態に基づく定格流量との関係を示す定格流量テーブル、及び、温水供給配管に用いられる管種情報及びその管種毎に決まる単位長さ当たりの圧損と流量との関係を記録した圧損パラメータを記憶する記憶手段を設けてあれば、
前記機器情報より温水流通機器の定格流量テーブルを参照して、前記圧損パラメータ及び前記配置情報から、前記温水供給機器から各配管位置までの累積圧損を求めることができ、温水供給機器がどの程度の圧損に抗して温水を供給せねばならないかを知ることができる。
また、前記温水供給機器が各温水流通機器に対する定格流量で温水供給可能な定格許容圧損を前記最大温水供給量テーブルから求めることができ、前記温水流通機器がどのような形態で設けられているかに関わらず、前記温水供給機器が定格流量の温水を供給する場合に、機外揚程がどの程度の圧損に相当するものであるかを知ることができる。
【００１２】
すると、前記定格許容圧損が前記累積圧損を上回っている場合には前記温水供給機器は前記温水流通機器のすべてにその定格流量の温水を供給することができることになる。つまり、これらを比較して表示させる圧損比較機構を設けてあれば、温水供給配管の管情報や機器情報を入力するだけで、その比較表示に基づき、温水供給配管の設計者は、配管のどの部分が温水のもっとも流れにくい部分であるか、あるいは、温水の供給が不十分になる虞の高い部分であるかなどの情報を知ることができ、その温水供給配管が定格流量の温水を確実に供給できるか否かの判断ができるようになる。
【００１３】
また、同様に、前述の記憶手段を設けてあれば、前記機器情報より前記温水供給機器の最大温水供給量テーブルを参照し、前記温水供給配管の前記温水供給機器及び温水流通機器の配置情報に基く各温水流通機器配設位置における最大温水流量を前記圧損パラメータに基づいて求めることができる。つまり、前記温水供給機器の最大出力で温水を供給した際に、前記温水供給配管の前記各温水流通機器にどの程度の流量の温水が供給されるかが求められる。
【００１４】
この温水供給量がその温水流通機器の定格流量を満たしていればよいから、前記最大温水流量が、前記温水流通機器の定格流量を上回っているか否かを比較表示させる流量比較機構を設けてあれば、その温水供給機器の能力から、前記温水供給配管の末端において必要な温水流量と、実際に供給可能な温水流量とを知ることができ、これらを比較表示することにより、設計者は、温水供給配管の管情報や機器情報を入力するだけで、その比較表示に基づき、温水供給配管の設計者は、配管のどの部分が温水のもっとも流れにくい部分であるか、あるいは、温水の供給が不十分になる虞の高い部分であるかなどの情報を知ることができ、その温水供給配管が定格流量の温水を確実に供給できるか否かの判断ができるようになる。
【００１５】
そのため、配管の設計者は、定格流量の温水を確実に供給できない場合が有ると思われる部分の配管を１サイズ大きなものに交換して設計し直すなど、その温水供給配管がより確実に機能する設計を行うことができるようになる。
また、このような設計変更を行った場合には、配管の管種を変更した部分における流路抵抗が変化することにより他の配管に流れる温水の流量も付随的に変更されることになるが、設計変更する毎にこのような再計算の結果が圧損比較機構により表示されると、温水供給配管の全体としてのバランスを崩すことなく、温水供給量を満足させられる設計を迅速に行えることになる。
【００１６】
従って、簡単、迅速、確実に配管設計を施工現場に反映させられるとともに、設計変更等に対しても柔軟に対応することが出来るようになり、また、このように設計されたデータを基に経費、予算見積もり等付随する書類の作成などにも容易に利用可能な形態で提供できるから、顧客の要望にもより適切に対応することが出来るようになった。
【００１７】
【発明の実施の形態】
以下に本発明の実施の形態を図面に基づいて説明する。
本発明の温水供給配管設計支援システムは、図１に示すように、温水供給配管の配置情報及び管種情報を入力する管情報入力手段１１、及び、温水供給配管に接続されるガス温水器の熱源機等の温水供給機器や、温水床暖房機器や、浴室乾燥システム、給湯用カラン等の温水流通機器の配置情報及び機器情報を入力する機器情報入力手段１２を端末機器として備えたコンピュータ装置１を設け、
温水供給機器の最大温水供給量テーブル２１、温水供給機器とその温水供給機器の使用形態に基づく定格流量との関係を示す定格流量テーブル２２、及び、温水供給配管に用いられる管の管径とその管内に温水を供給する際にその管によって生じる圧損との関係を示す圧損パラメータ２３を記憶する記憶手段２を設け、
前記機器情報より温水供給機器の定格流量テーブル２２を参照して、圧損パラメータと前記温水供給配管の配置情報から各温水流通機器の位置における累積圧損を求める累積圧損演算手段３１を設け、かつ、前記温水供給機器が各温水流通機器に対する定格流量で温水供給可能な定格許容圧損を前記最大温水供給量テーブルから求める定格許容圧損演算手段３２を設け、
入力された各配置情報、管種情報、機器情報を参照して設計図面を表示装置４に描画表示する設計図面出力装置５を設けて構成してある。
【００１８】
前記管情報入力手段１１は、前記コンピュータ装置１としてパーソナルコンピュータやワークステーション等の一端末機器を介して、温水供給配管１００敷設対象となる建物の３Ｄ透視図面等の図面情報等を表示装置４に表示させて参照しながら、設計者が温水供給配管１００の配置情報を入力可能に構成してある。この際、前記図面情報に対する配管敷設経路を示す座標入力等は視覚的に直接設定出来るように構成してある。またこのような作業と並行して、配管の種類（鋼管、銅管、樹脂管、フレキ管等）や温水流通機器３００への供給温度（高温用か低温用か等）が設定され、管路に介在されるべき温度制御弁等の配管付属設備１０３も同様に入力することができる（図２参照）。
【００１９】
前記機器情報入力手段１２は、前記配置情報入力手段１１と同様に、建物の３Ｄ透視図面建物各階の平面図等の図面情報等を表示装置４を介して参照して、設計者が温水供給配管１００のどこにどのような温水供給機器２００や温水流通機器３００を接続するのかを入力可能に構成してある。この際、温水供給機器２００や温水流通機器３００の設置場所を指定すると、その温水供給機器２００や温水流通機器３００の外観が自動的に描画され、前記図面情報に重ね合わせて表示できるように構成するとともに、その温水流通機器３００の使用形態に基づく定格流量テーブルから実際に想定される使用形態を選択することが出来る（図２参照）。具体的には、温水暖房機器３０１の温水循環配管１０１、カラン等の温水消費機器３０２の給湯配管１０２等が順次入力される。
尚、配管設計を行う際に、配置情報と管種情報、機器情報とはいずれを先に入力することもでき、並行作業でスムーズな設計をおこなえるようにしてある。
【００２０】
前記記憶手段２は前記コンピュータ装置１等にネットワーク接続されるサーバ６に備えられる磁気記憶装置等で構成し、前記コンピュータ装置を介して前記最大温水供給量テーブル２１、定格流量テーブル２２、圧損パラメータ２３等の記憶情報を読み出せるように構成してある。また、前記記憶手段２には、設計図面データを記憶してあり、前記コンピュータ装置１の読出書込（Ｉ／Ｏ）装置から各記憶装置にアクセス可能に構成してある。
【００２１】
設計者は、前記管情報入力手段１１により、管の敷設経路、管の敷設位置毎に用いられる管の径や材質等の管種情報を入力するとともに、前記機器情報入力手段１２により温水供給機器２００や、温水暖房機器３０１の機器情報や配置情報を入力する。
すると、前記コンピュータ装置１に設けられた回路図作成機構３０がその管の敷設経路に対応する管路を単純化し、温水供給機器２００と温水暖房機器３０１（温水暖房機器３０１、温水消費機器３０２）との接続関係を線図で表す回路図を作成し、その管路（温水循環配管１０１、給湯配管１０２）に、たとえば、Ａ〜Ｎの管路位置番号を割り振るとともに前記表示装置４に表示させる（図３、図６参照）。尚、この例では、温水循環配管１０１と、給湯配管１０２とは別途回路図が作成されるとともに、それぞれの系でそれぞれ温水流通量、圧損が計算される。
【００２２】
また同時に、前記コンピュータ装置１に設けられる累積圧損演算手段３１が、前記機器情報より温水暖房機器３０１の定格流量テーブル２２を参照して、前記圧損パラメータ２３及び前記配置情報から、前記温水供給機器２００から各温水循環配管１０１の位置までの累積圧損を求める。
【００２３】
前記定格流量テーブル２２は、温水暖房機器３０１の通常の使用形態でどの程度の圧損、どの程度の流量で温水が流通されるのかが対応表として記録されたもので、その温水暖房機器３０１の機種、及び、その使用形態が選択されると、それに対する温水流量が求められるものとなっている。
【００２４】
前記圧損パラメータ２３は、温水循環配管１０１に用いられる管種（管の材質、形状）、及び、その管種毎に決まる単位長さ当たりの圧損と流量との関係をグラフとして記録してあり、たとえば定格流量で温水が流通するものと決めると、そのグラフから、その温水の定格流量に対するその管による圧損が求められる。
この圧損の前記温水供給機器２００から温水暖房機器３０１までの温水循環配管１０１のそれぞれの位置における流量に基づき圧損パラメータ２３から圧損を求め累計すると、その配管位置における累積圧損が求められる。
【００２５】
また、前記コンピュータ装置１は、前記最大温水供給量テーブル２１から、前記温水供給機器２００が各温水暖房機器３０１に対する定格流量で温水供給可能な定格許容圧損を求める。この温水流量から前記温水暖房機器３０１に供給される温水の供給圧を求めることができ、前記コンピュータ装置１に設けられる定格許容圧損演算手段３２により、温水供給機器２００から前記温水暖房機器３０１までの温水循環配管１０１でどれだけの圧損が許容されるかの定格許容圧損が求められる。
【００２６】
前記コンピュータ装置１には、前記定格許容圧損が前記累積圧損を上回っているか否かを比較表示させる圧損比較機構３３を設けてあり、前記定格許容圧損が前記累積圧損を上回っていれば、前記温水暖房機器３０１は定格流量での使用にたえることができるかどうかを知ることができる。
つまり、同じ温水循環配管１０１に接続されている温水暖房機器３０１のすべてについて定格流量で温水を供給した場合の累積圧損を求めれば、同じ温水循環配管１０１に接続されている温水暖房機器３０１をすべて同時に定格流量で使用した場合に個々の温水暖房機器３０１が正常か動作せられるかどうか、具体的には、定格許容圧損を満足しているかどうかを調べることができ、それぞれの温水供給機器２００や温水暖房機器３０１が正常動作するか否かを調べられるものとなっている。
【００２７】
この定格許容圧損と累積圧損との関係は、前記管路番号毎に配管サイズ等とともに表形式で表示装置４に出力され、画面表示される（図４参照）。これにより設計者は、各管路における圧損が定格許容圧損の範囲内にあるかどうかを比較検討し、もし、圧損に余裕がないとか累積圧損が大きすぎるとかいう状況である場合には、温水循環配管１０１を低抵抗のものに交換するなどの設計変更を行うことができる。このような設計変更を行うと、前記圧損比較機構３３が再計算を行うので、温水循環配管１０１全体の設計バランスを図ることができるようになる。尚、図中、実際の温水暖房機器３０１内における圧損も温水循環配管１０１の一部として圧損の計算が行われている。
【００２８】
また、前記最大温水供給量テーブル２１は、温水供給機器２００の種類毎にその温水供給機器２００が供給可能な温水流量との関係を示すグラフとして記録してあり、そのグラフから給水圧に対する最大温水供給量を知ることができるようになっている。
【００２９】
また、前記機器情報より前記温水供給機器２００の最大温水供給量テーブル２１を参照し、前記温水循環配管１０１における各温水暖房機器３０１の配設位置における最大温水流量を前記圧損パラメータ２３に基づいて求める最大温水供給量演算手段３４を設けてある。
【００３０】
また、前記コンピュータ装置１には、前記最大温水流量が、前記温水流通機器２００の定格流量を上回っているか否かを比較表示させる流量比較機構３５を設けてあり、この最大温水流量が前記定格流量を上回る場合には、前記温水暖房機器３０１は、通常の使用状態で定格流量以上の温水供給量を満足するために、安定した使用が可能であることがわかる。ここで、最大温水流量が前記定格流量を下回る場合には、温水循環配管１０１の該当部分を構成する管を低抵抗のものに交換するなどの設計変更を行うことができる。このような設計変更を行うと、前記流量比較機構３５が再計算を行うので、温水循環配管１０１全体の設計バランスを図ることができるようになる（図５参照）。尚、図中、実際の温水暖房機器３０１における供給熱量の計算についても定格流量の計算同様に、前記記憶手段２に記憶されている熱量損失パラメータ（図外）等を参照して同様にチェックされている。
【００３１】
また、続いて、給湯配管１０２についても、同様の計算処理がなされ、図６に示す回路図が作成されるとともに、図７に示すように、累積圧損や各水栓同時使用時の給湯量が計算され、定格流量の使用に耐えうるか、最大流量が所定の規格を満足するかなどを点検することができるようになっている（尚、図中では計算例を示すため、図２に示したアイソメ図にはないカラン等が含まれるものを例示している）。
【００３２】
尚、前述のように管の設計変更を行う場合には、前記圧損パラメータ２３を参照して適切な管を選択する管種変更手段を設け、自動的に適切な管を選択できるように構成してもかまわない。このような場合、どのような管を設定しても適切な圧損、流量、熱量が得られない場合には、設計者は、温水供給機器２００を、能力の高いものに変更するなどの設計変更を行えばよい。
【図面の簡単な説明】
【図１】本発明の温水供給配管設計支援システムを示す概略図
【図２】設計対象の一例を示すアイソメ図
【図３】設計対象の一例を示す回路図
【図４】圧損比較機構による出力例を示す図
【図５】流量比較機構による出力例を示す図
【図６】設計対象の異なる例を示す回路図
【図７】圧損比較機構及び流量比較機構による図６に基づく出力例を示す図
【図８】温水流量と圧力損失の関係を示すグラフ
【符号の説明】
１１    管情報入力手段
１２    機器情報入力手段
２１    最大温水供給量テーブル
２２    定格流量テーブル
２３    圧損パラメータ
３３    圧損比較機構
１００  温水供給配管
２００  温水供給機器
３００  温水流通機器
【図１】
0004565765.tif 000002
【図２】
0004565765.tif 000003
【図３】
0004565765.tif 000004
【図４】
0004565765.tif 000005
【図５】
0004565765.tif 000006
【図６】
0004565765.tif 000007
【図７】
0004565765.tif 000008
【図８】
0004565765.tif 000009